(57)【特許請求の範囲】
【請求項１】
溶接構造物の溶接部にＸ線を照射するＸ線発生器と、
該溶接部を透過したＸ線を検出する検出器と、
該検出器で検出した透過Ｘ線の画像情報のデジタル処理手段を備えた中央制御用のコンピュータと、
該コンピュータでデジタル処理した該透過Ｘ線の画像情報を前記溶接構造物の溶接部の表面又はその近傍に印刷する印刷機を備え、
前記コンピュータの自動欠陥判別機能によりＸ線透過画像から溶接欠陥を抽出し、当該溶接欠陥が予め前記コンピュータに登録された法規・規格に適合しているか合否を自動判別し、許容されない溶接欠陥については、被検査部の表面又はその近傍に当該溶接欠陥の画像及び又は溶接欠陥に関する情報の識別記号又は識別色を印刷する手段を備えていることを特徴とするＸ線透過試験の自動化装置。
【請求項２】
前記Ｘ線発生器を搭載した移動用の駆動台と、
当該Ｘ線発生器を塔載した駆動台と対向する位置に配置された前記検出器を搭載した移動用の駆動台と、
前記各駆動台を上下方向にスライド可能に取付けたレール構造の上部が連結されたメインフレームと、
前記印刷機を搭載した移動用の駆動台を上下方向にスライド可能に取付けたレール構造の上部が連結されたフレームで、かつ前記メインフレームから離隔してＸ線照射範囲外に配置されたサブフレームとを移動式ゴンドラの内部に備えた装置であって、
当該メインフレーム及びサブフレームはＸ線発生器又は検出器又は印刷機が搭載された各駆動台を上下に移動する駆動部を備え、
該各駆動部は外部電源と接続された駆動モーターを備えるとともに、
前記Ｘ線発生器又は検出器又は印刷機を搭載した各駆動台を駆動制御する試験装置駆動制御手段を備えた前記中央制御用のコンピュータから伝送した試験装置駆動制御信号に基づいて前記各駆動部を連動して移動する手段を備えた装置であることを特徴とする請求項１に記載のＸ線透過試験の自動化装置。
【請求項３】
前記移動式ゴンドラは、
前記溶接構造物に下向きコの字状に懸架した移動式ゴンドラであって、
該移動式ゴンドラは前記溶接構造物に沿って左右に移動するゴンドラ駆動部を有し、
該ゴンドラ駆動部は外部電源に接続された駆動モーターを備え、
移動式ゴンドラの移動距離検知用の距離センサーと、
前記溶接部の映像を撮影するカメラと、
前記距離センサー又はカメラによる映像又は距離情報をコンピュータに伝送するケーブルとを有し、
ゴンドラ駆動制御手段を備え、かつ当該移動式ゴンドラから離隔して設置する前記中央制御用のコンピュータからのゴンドラ駆動制御信号に基づいて移動する手段を備えるとともに、
当該移動式ゴンドラは、
内壁がＸ線減衰材料で構成されたＸ線遮蔽手段を備えていることを特徴とする請求項２に記載のＸ線透過試験の自動化装置。
【発明の詳細な説明】
【技術分野】
【０００１】
この発明は、溶接構造物の溶接部のＸ線透過画像情報を当該溶接部の表面又はその近傍に印刷する印刷機を搭載したＸ線透過試験の自動化装置に関するものである。
【背景技術】
【０００２】
現在、溶接構造物の溶接部検査等で適用されているＸ線透過試験においては、Ｘ線によって溶接部を撮影したフィルムを、検査員が目視で観察し、当該フィルムに記録された溶接欠陥を判定するフィルム方式のＸ線透過試験が主流である。しかし、近年はＸ線透過試験画像をデジタル化し、コンピュータのディスプレイ上で溶接欠陥の有無を確認し、判定するデジタルイメージ方式のＸ線透過試験も行われるようになった。
フィルム方式では、撮影フィルムを現像することによって写真化し、検査員が観察器を用いて当該フィルムを暗室で目視観察する。
また、デジタルイメージ方式には、デジタルアレイ検出器を用いてＸ線透過画像を直接デジタル化する放射線透過試験法（ＤＤＡ法）がある。当該デジタルイメージ方式では、検査員がデジタルＸ線透過画像をコンピュータディスプレイ上で目視観察する。このようなデジタルイメージ方式は、フィルム方式と比較し、画像表示が高速でリアルタイム性がある、放射線に対して高感度で画像化に有効な照射量範囲（ダイナミックレンジ）が広い、画像処理や保存が容易、遠隔操作による撮影や画像の伝送が可能といった長所がある。
前述のフィルム方式やデジタルイメージ方式のＸ線透過試験では、溶接部の欠陥の有無、種類、寸法、位置等を調べたのち、合否判定を行う。判定の結果、許容されない溶接欠陥が存在した場合は、現場監督者が記録を持ち運んで溶接部と照合し、溶接欠陥位置をマーキングしたうえで、作業員が当該溶接欠陥を除去して補修溶接を行っている。補修作業終了後は、当該溶接部について再撮影を行い、当該溶接欠陥の除去を確認した後、試験終了となる。
【０００３】
特許文献１（特開平１０−１４８６２２号公報）「溶接部放射線透過試験画像の自動合否判定方法」には、合否判定を撮影条件判定と欠陥合否判定とに分け、全ての撮影条件が満足されたときにのみ欠陥合否判定を行うと共に、製造規格毎の合否判定基準を予め記憶装置に入力しておき、検査員又は上位計算機による当該検査対象規格の入力で、対応する判定基準を読み出すようにした管端溶接部の放射線透過画像の合否判定を自動化した方法が開示されている。
【０００４】
特許文献２（特開２００５−１１７５１３号公報）「放射線透過試験画像の解像度を求める方法」には、長方形のスリットを複数本有する透過度計と試験部とを放射線透過試験で同時に撮影し、その検査フィルムをスキャナにかけてデジタル画像データとしてコンピュータに入力し、そのデジタル画像データのＭＴＦ値をコンピュータで求めて、そのＭＴＦ値が予め定めた値よりも大きい場合に前記デジタル画像データを保存することにより、解像度の保証されたデジタル画像を得る方法が開示されている。
【０００５】
特許文献３（特開２００６−３８５２１号公報）「放射線透過試験デジタル画像の拡大倍率の補正方法と欠陥評価方法」には、放射線フィルムとともに解像力確認チャートを同一画像データとしてスキャニングしてデジタル画像データとし、前記解像力確認チャートに印刷加工された寸法の異なる複数のラインペア図によるラインペア像よりデジタル画像観察時の画像拡大倍率を定め、前記解像力確認チャートの４辺に加工された目盛による像をデジタル画像上で試験部とともに観察して欠陥概略寸法を評価する方法が開示されている。
【先行技術文献】
【特許文献】
【０００６】
【特許文献１】特開平１０−１４８６２２号公報
【特許文献２】特開２００５−１１７５１３号公報
【特許文献３】特開２００６−３８５２１号公報
【発明の概要】
【発明が解決しようとする課題】
【０００７】
現行の試験方法では、溶接部にＸ線を照射した後、Ｘ線透過画像を得て、溶接欠陥位置を特定し、補修するまでに非常に時間を要する等の問題があった。
例えば、現行のフィルム方式のＸ線透過試験は、フィルム４ａの現像処理が必要であるため、撮影から判定までに多くの手順と作業時間を要していた。また、フィルム４ａを使用することからフィルム４ａの選定や現像処理等の管理を厳格に行う必要があった。フィルム方式では、撮影条件に不備があった場合、撮り直しに更に時間を要するという問題があった。
現行のフィルム方式及び最新のデジタルイメージ方式においては、発見された許容されない溶接欠陥を前記溶接部表面にマーキングする人手や時間が掛かるうえ、誤認により補修箇所を間違える恐れがあった。
また、タンク３等の大型の溶接構造物１の場合、試験箇所が膨大となるため、暗室での検査員によるフィルム４ａの目視確認では、検査員の目の疲労や集中力の欠如等により、溶接欠陥の種類や寸法等が誤って判定され、合否判定を間違える等の問題もあった。また、Ｘ線透過画像に基づく現地での補修箇所の特定等の照合作業には、経験のある現場監督等が必要であった。
さらに、放射線被曝を防止する観点からＸ線照射を行う場合は、広い管理区域を設定する必要があり、試験中にはその周囲で実施している作業を中断しなければならず、タンク建設の場合にはその工期が延びる一因となっていた。
【０００８】
特許文献１「溶接部放射線透過試験画像の自動合否判定方法」は、検査員の目視判定が不要となる放射線透過画像の自動合否判定方法と装置に関するものであるが、試験対象箇所の溶接部と放射線透過画像との照合が不要となるように溶接欠陥の画像及び又は溶接欠陥に関する情報を当該溶接部の表面又はその近傍に印刷する手段を備えた装置に関するものではない。
【０００９】
特許文献２「放射線透過試験画像の解像度を求める方法」は、放射線透過試験で撮影した検査フィルムの解像度を定量的に保証する方法に関するものであるが、試験対象箇所の溶接部と放射線透過画像との照合が不要となるように溶接欠陥の画像及び又は溶接欠陥に関する情報を当該溶接部の表面又はその近傍に印刷する手段を備えた装置に関するものではない。
【００１０】
特許文献３「放射線透過試験デジタル画像の拡大倍率の補正方法と欠陥評価方法」は、デジタルの放射線透過画像の欠陥概略寸法を一目で判断できる欠陥評価方法に関するものであるが、試験対象箇所の溶接部と放射線透過画像との照合が不要となるように溶接欠陥の画像及び又は溶接欠陥に関する情報を当該溶接部の表面又はその近傍に印刷する手段を備えた装置に関するものではない。
【００１１】
この発明の目的は、上述のような従来技術が有する問題点に鑑みてなされたもので、溶接構造物の溶接部の表面又はその近傍にＸ線透過試験の溶接欠陥の画像及び又は溶接欠陥に関する情報を印刷して明示する印刷手段を備えたデジタルイメージ方式のＸ線透過試験の自動化装置を提供するものである。
【課題を解決するための手段】
【００１２】
請求項１の発明に係るＸ線透過試験の自動化装置は、
溶接構造物の溶接部にＸ線を照射するＸ線発生器と、
該溶接部を透過したＸ線を検出する検出器と、
該検出器で検出した透過Ｘ線の画像情報のデジタル処理手段を備えた中央制御用のコンピュータと、
該コンピュータでデジタル処理した該透過Ｘ線の画像情報を前記溶接構造物の溶接部の表面又はその近傍に印刷する印刷機を備え、
前記コンピュータの自動欠陥判別機能によりＸ線透過画像から溶接欠陥を抽出し、当該溶接欠陥が予め前記コンピュータに登録された法規・規格に適合しているか合否を自動判別し、許容されない溶接欠陥については、被検査部の表面又はその近傍に当該溶接欠陥の画像及び又は溶接欠陥に関する情報の識別記号又は識別色を印刷する手段を備えていることを特徴とする。
【００１５】
請求項２の発明に係るＸ線透過試験の自動化装置は、
請求項１に記載のＸ線発生器を搭載した移動用の駆動台と、
当該Ｘ線発生器を塔載した駆動台と対向する位置に配置された前記検出器を搭載した移動用の駆動台と、
前記各駆動台を上下方向にスライド可能に取付けたレール構造の上部が連結されたメインフレームと、
前記印刷機を搭載した移動用の駆動台を上下方向にスライド可能に取付けたレール構造の上部が連結されたフレームで、かつ前記メインフレームから離隔してＸ線照射範囲外に配置されたサブフレームとを移動式ゴンドラの内部に備えた装置であって、
当該メインフレーム及びサブフレームはＸ線発生器又は検出器又は印刷機が搭載された各駆動台を上下に移動する駆動部を備え、
該各駆動部は外部電源と接続された駆動モーターを備えるとともに、
前記Ｘ線発生器又は検出器又は印刷機を搭載した各駆動台を駆動制御する試験装置駆動制御手段を備えた前記中央制御用のコンピュータから伝送した試験装置駆動制御信号に基づいて前記各駆動部を連動して移動する手段を備えた装置であることを特徴とする。
【００１６】
請求項３の発明に係るＸ線透過試験の自動化装置は、
請求項２に記載の移動式ゴンドラが、
前記溶接構造物に下向きコの字状に懸架した移動式ゴンドラであって、
該移動式ゴンドラは前記溶接構造物に沿って左右に移動するゴンドラ駆動部を有し、
該ゴンドラ駆動部は外部電源に接続された駆動モーターを備え、
移動式ゴンドラの移動距離検知用の距離センサーと、
前記溶接部の映像を撮影するカメラと、
前記距離センサー又はカメラによる映像又は距離情報をコンピュータに伝送するケーブルとを有し、
ゴンドラ駆動制御手段を備え、かつ当該移動式ゴンドラから離隔して設置する前記中央制御用のコンピュータからのゴンドラ駆動制御信号に基づいて移動する手段を備えるとともに、
当該移動式ゴンドラは、
内壁がＸ線減衰材料で構成されたＸ線遮蔽手段を備えていることを特徴とする。
【発明の効果】
【００１７】
請求項１の発明に係るＸ線透過試験の自動化装置は、
溶接構造物の溶接部にＸ線を照射するＸ線発生器と、
該溶接部を透過したＸ線を検出する検出器と、
該検出器で検出した透過Ｘ線の画像情報のデジタル処理手段を備えた中央制御用のコンピュータと、
該コンピュータでデジタル処理した該透過Ｘ線の画像情報を前記溶接構造物の溶接部の表面又はその近傍に印刷する印刷機を備え、
前記コンピュータの自動欠陥判別機能によりＸ線透過画像から溶接欠陥を抽出し、当該溶接欠陥が予め前記コンピュータに登録された法規・規格に適合しているか合否を自動判別し、許容されない溶接欠陥については、被検査部の表面又はその近傍に当該溶接欠陥の画像及び又は溶接欠陥に関する情報の識別記号又は識別色を印刷する手段を備えているので、
Ｘ線照射後に前記溶接構造物の溶接部の表面又はその近傍に透過Ｘ線の画像情報を直接印刷できるので、試験後に当該溶接部の内在欠陥等の情報を外観上で直ぐに確認して補修することが可能となり、効率的に補修作業を行うことが可能となる。
【００２０】
請求項２の発明に係るＸ線透過試験の自動化装置は、
請求項１に記載のＸ線発生器を搭載した移動用の駆動台と、
当該Ｘ線発生器を塔載した駆動台と対向する位置に配置された前記検出器を搭載した移動用の駆動台と、
前記各駆動台を上下方向にスライド可能に取付けたレール構造の上部が連結されたメインフレームと、
前記印刷機を搭載した移動用の駆動台を上下方向にスライド可能に取付けたレール構造の上部が連結されたフレームで、かつ前記メインフレームから離隔してＸ線照射範囲外に配置されたサブフレームとを移動式ゴンドラの内部に備えた装置であって、
当該メインフレーム及びサブフレームはＸ線発生器又は検出器又は印刷機が搭載された各駆動台を上下に移動する駆動部を備え、
該各駆動部は外部電源と接続された駆動モーターを備えるとともに、
前記Ｘ線発生器又は検出器又は印刷機を搭載した各駆動台を駆動制御する試験装置駆動制御手段を備えた前記中央制御用のコンピュータから伝送した試験装置駆動制御信号に基づいて前記各駆動部を連動して移動する手段を備えた装置であるので、
Ｘ線発生器、検出器及び印刷機のＸ線照射前後の配置を中央制御用のコンピュータで最初に設定することにより、試験対象箇所の溶接部に移動する際に、前記試験装置駆動制御手段を用いてＸ線発生器、検出器及び印刷機を搭載した各駆動台を連動して自在に移動させることが可能なため、検査員が各装置を設置する際の手間が軽減され、自動的に各構成装置を適正な位置に配置して試験を実施することが可能となる。

【００２１】
請求項３の発明に係るＸ線透過試験の自動化装置は、
請求項２に記載の移動式ゴンドラが、
前記溶接構造物に下向きコの字状に懸架した移動式ゴンドラであって、
該移動式ゴンドラは前記溶接構造物に沿って左右に移動するゴンドラ駆動部を有し、
該ゴンドラ駆動部は外部電源に接続された駆動モーターを備え、
移動式ゴンドラの移動距離検知用の距離センサーと、
前記溶接部の映像を撮影するカメラと、
前記距離センサー又はカメラによる映像又は距離情報をコンピュータに伝送するケーブルとを有し、
ゴンドラ駆動制御手段を備え、かつ当該移動式ゴンドラから離隔して設置する前記中央制御用のコンピュータからのゴンドラ駆動制御信号に基づいて移動する手段を備えるとともに、
当該移動式ゴンドラは、
内壁がＸ線減衰材料で構成されたＸ線遮蔽手段を備えているので、
当該移動式ゴンドラを自動で所定の間隔毎に移動するよう制御することが可能となり、大型タンクの側板の水平継手等のＸ線透過試験が容易となる。また、当該移動式ゴンドラに搭載した距離センサー、カメラからの映像又は距離情報に基づいて移動式ゴンドラの移動を制御できるため、当該移動式ゴンドラが溶接構造物の溶接部の構造や配置に見合った移動を行うことが可能となり、法規や規格で定められた所定の箇所の試験を自動で正確に実施することが可能となる。
また、前記Ｘ線発生器から放射されたＸ線はＸ線減衰材料で構成された内壁で減衰するため、外部へ漏洩するＸ線量が極めて少なくなり、Ｘ線透過試験時の安全性が向上する。
さらに、Ｘ線透過試験を外部から遮蔽された空間で行うことができるので、試験時に外部環境の影響を受け難くなり、作業員の被曝を防止することも可能となる。
【図面の簡単な説明】
【００２２】
【図１】本発明に係るＸ線透過試験の自動化装置のＸ線照射時の全体構成の事例を示す線図である。
【図２】Ｘ線透過試験の自動化装置のＸ線透過試験結果印刷時の全体構成の事例を示す線図である。
【図３】Ｘ線透過試験の自動化装置の駆動制御機構の全体構成の事例を示す線図である。
【図４】Ｘ線透過試験の試験前手順の事例を示すフロー図である。
【図５】Ｘ線透過試験のＸ線照射から試験結果印刷及び溶接欠陥補修までの手順の事例を示すフロー図である。
【図６】Ｘ線透過試験の自動化装置を搭載した移動式ゴンドラが駆動する状況の事例を示す正面図及び平面図である。
【図７】Ｘ線透過試験の自動化装置を搭載した移動式ゴンドラの内部構造の事例を示す正面図及び平面図である。
【発明を実施するための形態】
【００２３】
本発明に係るＸ線透過試験の自動化装置の形態例について図１から図７に示す。本発明は下記及び図面に示す実施形態にのみ限定されるものではない。本発明の要旨を逸脱しない範囲で下記の構成要素の省略または付加、構成要素の形状等の実施形態の変更を加えることが出来るのはもちろんである。なお、図は概略を示すもので、一部のみを描き詳細構造は省略した。
【００２４】
本発明に係るＸ線透過試験の自動化装置のＸ線照射時の全体構成事例を示す線図を図１に示す。
図１に示すように、溶接構造物１の試験対象箇所の溶接部１ａの近傍にＸ線を照射するＸ線発生器２を置き、試験対象箇所の溶接部１ａを挟んで相対する位置で、かつ当該溶接部１ａに近接する位置に検出器４を配置する。Ｘ線透過試験は、Ｘ線発生器２からＸ線を溶接部１ａ方向に照射し、透過したＸ線を検出器４で検出し、中央制御用のコンピュータ７で当該検出器４で検出した透過Ｘ線の画像情報をデジタル処理して表示することにより行われる。前記試験対象箇所の溶接部１ａは、円筒形タンクの側板相互の突合せ溶接部の事例を示している。また、１ｂはＸ線発生器２からＸ線を照射し、１度にＸ線透過試験する試験範囲を示している。
図１は、透過Ｘ線画像のデジタル画像情報を直接取得するデジタルイメージ方式の試験装置の事例を示しており、検出器４としてフラットパネル４ｂを使用する事例を示している。当該フラットパネル４ｂは、基板上に数百万個以上の多数のフォトダイオード素子（画素）が配置され、当該素子がＸ線照射で蓄えた電荷量を濃度値に換算してコンピュータ７に転送するパネルである。
前記コンピュータ７は、自動欠陥判別機能を備えており、該自動欠陥判別機能は、前記フラットパネル４ｂより転送されたデジタルＸ線透過画像データから溶接欠陥情報を抽出し、該溶接欠陥情報を予め登録された法規や規格等の合否判定基準と比較して、前記試験対象箇所の溶接部１ａの合否を自動的に判定する。なお、許容されない溶接欠陥が有る場合は、自動欠陥判別機能により、該溶接欠陥の種類、寸法、位置情報等を抽出することも可能である。
なお、前記中央制御用のコンピュータ７は、フラットパネル４ｂより転送されたＸ線透過画像情報を確認するディスプレイ７ａと、画像情報を記録するための画像情報記憶装置７ｂを備えている。
【００２５】
中央制御用のコンピュータ７は試験装置駆動通信ケーブル５で印刷機８に接続されている。印刷機８はコンピュータ７から伝送された溶接構造物１の試験対象箇所の溶接部１ａの許容されない溶接欠陥の画像及び又は溶接欠陥に関する情報を溶接部１ａの表面又はその近傍に印刷する装置である。
該印刷機８は、図１に示す通り、前記溶接部１ａの表裏面の両面又は何れか片面の近傍に配置される１式又は２式の印刷機８であって、該１式又は２式の印刷機８の内、前記コンピュータ７から伝送された前記溶接部１ａの許容されない溶接欠陥位置近傍側に設置された印刷機８により前記溶接部１ａの溶接欠陥位置近傍側の該溶接部１ａ又はその近傍に該溶接欠陥画像及び又は溶接欠陥情報の印刷を行う装置である。
前記印刷機８の印刷可能範囲はＸ線照射範囲よりも大きいサイズとする。前記印刷機８には、通常インクジェットプリンター８ａを使用し、当該インクジェットプリンター８ａは、インク滴を噴射する可動インク噴射ヘッド９を備えている。
【００２６】
移動式ゴンドラ６は、外壁６ｄとＸ線減衰部材で構成された内壁６ｃとでボックス状に形成し、前記溶接構造物１に下向きコの字状に懸架するための開口部６ａを備え、当該開口部６ａに外部との出入りをするための開閉ドア６ｂが設置されている。前記内壁６ｃは、鉛板のようなＸ線減衰係数が大きい部材を使用する。
上記の通り、前記Ｘ線発生器２から放射されたＸ線はＸ線減衰材料で構成された内壁６ｃで減衰するため、外部へ漏洩するＸ線量が極めて少なくなり、被曝が防止できるため、当該試験装置近くでの他の作業が可能となる。
また、Ｘ線透過試験を外部から遮蔽された空間で行うことができるので、試験時に外部環境の影響を受け難くなる。
さらに、印刷機８の周囲をＸ線減衰材料で構成されたシールド材で囲うことにより、印刷機８がＸ線による影響を受けず、装置がＸ線により不具合を生じることがない。
【００２７】
図２は、Ｘ線透過試験の自動化装置の印刷時の全体構成の事例を示す線図である。
前記溶接部１ａの表裏面の両面又は何れか片面の近傍に配置された１式又は２式の印刷機８は、Ｘ線透過試験結果の印刷時において、移動式ゴンドラ６を水平方向Ｈに移動することにより、当該印刷機８を試験対象箇所の溶接部１ａの近傍に配置し、Ｘ線発生器２及び検出器４が試験対象箇所の溶接部１ａから遠ざけるように配置される。図２は、２式の印刷機８を配置した事例を示している。
【００２８】
図３は、Ｘ線透過試験の自動化装置の駆動制御機構の全体構成の事例を示す線図である。
中央制御用のコンピュータ７は、Ｘ線発生器２、検出器４及び印刷機８の各駆動部１０、１３、１４を駆動制御する試験装置駆動制御装置１５と、移動式ゴンドラ６の駆動部を制御するゴンドラ駆動制御装置２０とを備えている。Ｘ線発生器２、検出器４及び印刷機８の各駆動部１０、１３、１４は、駆動モーター２３、駆動軸２４、駆動台２５等で構成されている。移動式ゴンドラ６の駆動部３１は、駆動モーター２３、駆動軸２４、駆動車輪２６等で構成されている。
前記試験装置の各駆動部１０、１３、１４は、試験装置駆動制御装置１５を備えた前記中央制御用のコンピュータ７から試験装置駆動通信ケーブル５を通じて伝送される試験装置駆動制御信号により駆動制御される。当該試験装置駆動制御信号により、各試験装置の駆動部１０、１３、１４を連動して駆動させて各駆動台２５に搭載した機器を所定の箇所まで移動させることが可能である。
また、中央制御用のコンピュータ７において、試験前に予めＸ線照射時、試験結果印刷時の各構成装置の配置等を設定する。設定項目の詳細については、図４のステップ１を参照する。
試験装置駆動制御装置１５により、Ｘ線照射前或いはＸ線照射時において、図１に示すように、Ｘ線発生器２及び検出器４を試験対象箇所の溶接部１ａの近傍に移動させる。また、Ｘ線照射後の試験結果の印刷時において、図２に示すように、印刷機８を試験対象箇所の溶接部１ａの近傍に移動させる。
Ｘ線発生器２、検出器４及び印刷機８等のＸ線照射前後の配置を中央制御用のコンピュータ７で最初に設定することにより、試験対象箇所の溶接部１ａに移動する際に、前記試験装置駆動制御装置１５を用いてＸ線発生器２、検出器４及び印刷機８を搭載した各駆動台２５を上下方向に移動させ、ゴンドラ駆動制御装置２０を用いて左右方向に移動させることが可能である。よって、試験装置駆動制御装置１５及びゴンドラ駆動制御装置２０により、各駆動台２５及び移動式ゴンドラ６の移動を制御し、各試験装置を所定の位置に自動で配置できるため、検査員が各装置を移動する際の手間が軽減され、各試験装置を適正な位置に配置して試験を実施することが可能となる。
【００２９】
図４は、Ｘ線透過試験の試験前手順の事例を示すフロー図である。
下記にその手順（ステップ１〜ステップ９）を示す。
ステップ１において、中央制御用のコンピュータ７による試験条件の初期設定を行う。初期設定の主な項目は下記の通りである。また、必要に応じてその他試験条件も設定することが可能である。
（１）Ｘ線発生器２、検出器４、印刷機８のＸ線照射時と試験結果印刷時の配置
（２）試験結果の印刷方法（溶接欠陥の識別記号又は識別色等）
（３）移動式ゴンドラ６の移動方法（移動距離等）
（４）Ｘ線照射１回当たりの試験範囲１ｂ
（５）円筒形タンク３の場合、側板１枚の高さ、幅
（４）及び（５）を設定することにより、例えば円筒形タンク３の縦継手全線のＸ線透過試験において、前記側板１枚の高さを試験範囲１ｂで分割し、１回当たりの移動式ゴンドラ６の移動距離を自動で算出し、当該移動距離に基づいて移動式ゴンドラ６を自動で移動させて試験を行うことにより、縦継手全線を漏れなく自動で試験することが可能となる。
また、Ｘ線発生器２と検出器４に高さセンサーを設けることにより、試験時における各機器の側板高さ方向の位置を自動で算出し、各機器相互の中心軸がずれないように自動で調節することが容易となり、全ての試験対象箇所について各機器相互が同じ高さとなるように配置して試験を実施することが可能となる。
ステップ２において、各構成機器を搭載した移動式ゴンドラ６をクレーン等で溶接構造物１の所定箇所に搭載、配置する。
ステップ３において、コンピュータ７のゴンドラ駆動制御装置２０を自動又は手動で起動する。当該ゴンドラ駆動制御装置２０の起動を自動又は手動で行うことについては、コンピュータ７で予め設定することが可能である。
ステップ４において、移動式ゴンドラ６のゴンドラ駆動部３１が駆動して水平方向Ｈに移動し、溶接構造物１の最初の試験対象箇所の溶接部１ａまで当該移動式ゴンドラ６が移動する。
ステップ５において、コンピュータ７の試験装置駆動制御装置１５を自動又は手動で起動する。当該試験装置駆動制御装置１５の起動を自動又は手動で行うことについては、コンピュータ７で予め設定することが可能である。
ステップ６において、印刷機８が上下方向に移動し、溶接部１ａの近傍に配置される。
ステップ７において、印刷機８で試験対象箇所の溶接部１ａを識別可能な管理番号と、試験日時と、当該管理番号及び試験日時で管理する試験範囲１ｂを当該溶接部１ａ又はその近傍に印刷する。
ステップ８において、コンピュータ７の試験装置駆動制御装置１５及びゴンドラ駆動制御装置２０を自動又は手動で再起動する。
ステップ９において、移動式ゴンドラ６が左右に移動し、かつＸ線発生器２又は検出器４を搭載した各駆動台２５が上下方向に移動し、Ｘ線発生器２及び検出器４が溶接部１ａ近傍に移動して当該各試験装置が図１に示すようにＸ線照射用に配置される。この際、印刷機８はＸ線の照射範囲の外に配置される。
【００３０】
図５は、Ｘ線透過試験のＸ線照射から試験結果印刷及び溶接欠陥補修までの手順の事例を示すフロー図である。下記にその手順（ステップ１１〜ステップ２１）を示す。
ステップ１１において、Ｘ線発生器２よりＸ線が照射される。
ステップ１２において、溶接構造物１を透過したＸ線の画像情報をフラットパネル４ｂ等の検出器４で検出する。
ステップ１３において、コンピュータ７にデジタル処理した該透過Ｘ線の画像情報データを取り込み、コンピュータ７の画像情報記憶装置７ｂに当該データを保存する。
ステップ１４において、コンピュータ７の自動欠陥判別機能によりＸ線透過画像から溶接欠陥の有無を判定し、溶接欠陥が有る場合は、当該溶接欠陥が予め登録された法規・規格に適合しているか合否を自動判別し、該溶接欠陥の種類、寸法、位置情報等を自動抽出する。
ステップ１５において、コンピュータ７の試験装置駆動制御装置１５、ゴンドラ駆動制御装置２０を自動又は手動で再起動する。
ステップ１６において、移動式ゴンドラ６が左右に移動し、かつ印刷機８を搭載した駆動台２５が上下方向に移動し、印刷機８が溶接部１ａ近傍に移動して各試験装置が図２に示すように試験結果印刷用に配置される。
ステップ１７において、前記コンピュータ７でデジタル処理した該透過Ｘ線の画像から抽出された前記試験対象箇所の溶接部１ａの許容されない溶接欠陥の画像及び又は溶接欠陥に関する情報が印刷機８に伝送され、印刷機８により当該溶接欠陥の画像及び又は溶接欠陥に関する情報が溶接部１ａ又はその近傍に印刷される。また、印刷機８にインクジェットプリンター８ａを使用した場合は、可動ノズル噴射ヘッド９からインク滴を噴射して印刷する。前記印刷機８は、試験装置駆動制御装置１５からの駆動制御信号を受けることにより、前記可動ノズル噴射ヘッド９が左右に移動するとともに、当該印刷機８を搭載した駆動台２５が上下動し、試験範囲全体に溶接欠陥画像及び又は溶接欠陥情報を描く。
ステップ１８において、許容されない溶接欠陥有の場合は、溶接部１ａ又はその近傍に当該溶接欠陥の画像及び又は溶接欠陥に関する情報が印刷される。また、印刷は溶接欠陥の識別記号（例えばＢ：ブローホール、Ｃ：割れ）や識別色（赤：ブローホール、青：割れ）等、コンピュータ７の印刷方法の初期設定の条件に従って実行される。許容されない溶接欠陥無で合格の場合は、溶接部１ａ又はその近傍に「合格」の文字が印字される。
ステップ１９において、試験対象箇所の溶接部１ａの試験結果の印刷が完了する。
ステップ２０において、全ての試験対象箇所１ａについて図４のステップ３〜図５のステップ１９の手順でＸ線照射及び試験結果の印刷を実施する。
ステップ２１において、当該溶接部１ａの表面又はその近傍に印刷された許容されない溶接欠陥画像及び又は溶接欠陥に関する情報に基づいて溶接欠陥除去及び肉盛補修等を行う。溶接欠陥補修後は、図４のステップ３に戻り、コンピュータ７のゴンドラ駆動制御装置２０を再起動し、ゴンドラ駆動制御信号に基づいて移動式ゴンドラ６を溶接欠陥を補修した溶接部１ａに移動させる。溶接欠陥補修後の全ての試験対象箇所１ａについて図４のステップ３〜図５のステップ１９の手順でＸ線照射及び試験結果の印刷を実施し、溶接欠陥が除去されていることを確認し、溶接欠陥補修が完了する。
【００３１】
図６は、Ｘ線透過試験の自動化装置を搭載した移動式ゴンドラが駆動する状況の事例を示す正面図及び平面図である。
図６は、円筒形タンク３の底板１１及び最下段側板１２ａ、２段目側板１２ｂの一部を示しており、側板１２相互を突合せ溶接したのち、相互の突合せ溶接の水平継手又は縦継手を移動式ゴンドラ６を使用してＸ線透過試験している状況を示す。また、１ａ１〜１ａ６は、試験対象箇所の溶接部を示す。
（Ａ）は、最下段側板１２ａに下向きコの字状の移動式ゴンドラ６を懸架し、当該移動式ゴンドラ６を水平方向Ｈに移動させて、溶接継手のＸ線透過試験を実施している状況の正面図を示す。
（Ｂ）は、最下段側板１２ａの検査終了後、クレーン等で移動式ゴンドラ６を最下段側板１２ａから２段目側板１２ｂまで移設し、当該移動式ゴンドラ６を水平方向Ｈに移動させて２段目側板１２ｂの溶接継手のＸ線透過試験を実施している状況の正面図を示す。
（Ｃ）は、（Ａ）又は（Ｂ）の平面図を示している。
ゴンドラ駆動制御装置２０を備え、かつ移動式ゴンドラ６から離隔して設置する中央制御用のコンピュータ７は、ゴンドラ駆動通信ケーブル２１で移動式ゴンドラ６と接続され、当該コンピュータ７からのゴンドラ駆動制御信号に基づいて、ゴンドラ駆動モーターや駆動車輪等のゴンドラ駆動部３１を作動させ、移動式ゴンドラ６を水平方向Ｈに移動させる。
また、移動式ゴンドラ６及び中央制御用のコンピュータ７の起動電源は、電源ケーブル２２を通じて外部電源１９から供給される。
【００３２】
移動式ゴンドラ６に移動距離検知用の距離センサー１６及び溶接部１ａの映像を撮影するカメラ１７（何れも図示せず）を搭載し、当該距離センサー１６又はカメラ１７による映像又は距離情報をゴンドラ駆動通信ケーブル２１を通じてコンピュータ７に伝送する。
コンピュータ７は、初期設定条件及び前記映像、距離情報に基づいて、ゴンドラ駆動制御信号をゴンドラ駆動通信ケーブル２１を通じて移動式ゴンドラ６に伝送し、当該移動式ゴンドラ６の移動及び停止を制御する。
従って、大型円筒形タンク３の複数の縦や水平の溶接継手を法規や規格で定められた所定の間隔でＸ線透過試験する場合に、前記移動式ゴンドラ６の移動及び停止を所定の間隔毎に自動で制御することが可能となり、検査員のゴンドラ移動時の作業が大幅に軽減されるとともに、適正な位置で試験を行うことが可能となる。
【００３３】
図７は、Ｘ線透過試験の自動化装置を搭載した移動式ゴンドラの内部構造の事例を示す正面図及び平面図である。上部に平面図、下部に正面図を示す。
移動式ゴンドラ６の内部には下向きコの字状のレール状のメインフレーム２７が上下方向に配設されている。このメインフレーム２７にはＸ線発生器２、検出器４を搭載した駆動台２５が、図７に示すように、それぞれ溶接部１ａの表裏面の対向する位置に上下方向へスライド可能に取付けられている。この駆動台２５にはワイヤ３０が固定されている。ワイヤ３０は、メインフレーム２７の上下に配置された駆動軸２４に巻き付けられている。
また、前記メインフレーム２７から離隔してＸ線照射範囲外に配置された下向きコの字状のレール状のサブフレーム２８が上下方向に配設され、当該サブフレーム２８にＸ線発生器２及び検出器４と同じように印刷機８が上下方向へスライド可能に取付けられている。
前記メインフレーム２７とサブフレーム２８は、連結フレーム２９で連結されている。
各試験装置を搭載した駆動台２５は、メインフレーム２７上部の外部電源１９と接続された駆動モーター２３を駆動させることにより、前記駆動軸２４に回転力が伝達され、駆動台２５を上下方向にスライドさせることにより、Ｘ線発生器２、検出器４及び印刷機８を所定の位置に移動させる。
Ｘ線発生器２及び検出器４を同じメインフレーム２７に配置して上下移動が同調するように制御することにより、Ｘ線発生器２と検出器４の中心軸がずれることなく、全ての試験対象箇所について同じ装置の配置で試験を実施することが可能となる。
【００３４】
移動式ゴンドラ６は、図７に示す通り、複数の水平フレームと縦フレームを接続具１８（図示せず）で剛的に一体化してボックス状に形成され、溶接構造物１上端部に当該移動式ゴンドラ６内部の駆動車輪２６を搭載した状態で前記溶接構造物１に下向きコの字状に懸架する。
前記駆動車輪２６は、外部電源１９に接続されたゴンドラの駆動モーター２３を駆動させることにより、ゴンドラの駆動軸２４に回転力が伝達され、移動式ゴンドラ６を左右の方向に移動させる。図７は駆動車輪２６を２個使用した移動式ゴンドラ６の事例を示している。
【００３５】
移動式ゴンドラ６を水平移動及びＸ線発生器２又は検出器４又は印刷機８を搭載した駆動台２５の上下方向の移動を中央制御用のコンピュータ７で制御することにより、各試験装置を所定の位置に自動で配置することが可能となり、検査員の装置移設の手間が軽減され、全ての試験対象箇所について適正な装置の配置で試験を行うことが可能である。
【００３６】
本発明に係るＸ線透過試験の自動化装置を使用することにより、下記の効果が得られる。
Ｘ線照射前に自動で管理番号、試験日時及び試験範囲１ｂを溶接構造物１の溶接部１ａの表面又はその近傍に直接印刷することが可能であり、現場監督や試験担当者がＸ線照射前に試験対象箇所の溶接部１ａ毎にマーキングする手間がなくなり、装置搬入及び配置後直ぐにＸ線照射を開始することが可能である。また、補修作業者が前記溶接構造物１の溶接部１ａの表面又はその近傍の表面に印刷された管理番号、試験日時及び試験範囲１ｂを外観上で確認し、試験記録と照合して直ぐに溶接欠陥除去や溶接肉盛等の補修作業を行うことができ、補修作業が効率的となる。
Ｘ線照射後にＸ線透過画像が写されたフィルム等を現地まで持ち運んで試験対象箇所の溶接部１ａと照合する必要がなく、自動的に溶接部１ａ又はその近傍に溶接欠陥の画像及び又は溶接欠陥に関する情報を印刷できるため、外観上で正確な欠陥の種類、寸法及び位置等の情報を確認できるため、補修作業及び補修後の溶接欠陥除去確認の作業が容易となる。また、補修作業者は、試験対象箇所の溶接部１ａ又はその近傍に印刷された識別記号又は識別色を確認するだけで瞬時にブローホールや割れ等の溶接欠陥の種類等を判別することができ、その溶接欠陥の種類に応じた補修を行うことができる。
【００３７】
本発明に係る移動式ゴンドラ６にＸ線透過試験の自動化装置を搭載して試験を実施することにより、下記の効果が得られる。
Ｘ線発生器２、検出器４及び印刷機８等のＸ線照射前後の配置を中央制御用のコンピュータ７で最初に設定することにより、試験対象箇所の溶接部１ａに移動する際に、前記試験装置駆動制御装置１５を用いてＸ線発生器２、検出器４及び印刷機８を搭載した各駆動台２５を連動して自在に移動させることが可能なため、検査員が各装置を設置する際の手間が軽減され、自動的に各構成装置を適正な位置に配置して試験を実施することが可能となる。
当該移動式ゴンドラ６を自動で所定の間隔毎に移動するよう制御することが可能となり、大型タンク３の側板１２の水平継手等のＸ線透過試験が容易となる。また、当該移動式ゴンドラ６に搭載した距離センサー１６、カメラ１７からの映像又は距離情報に基づいて移動式ゴンドラ６の移動を制御できるため、当該移動式ゴンドラ６が溶接構造物１の溶接部１ａの構造や配置に見合った移動を行うことが可能となり、法規や規格で定められた所定の箇所の試験を自動で正確に実施することが可能となる。
また、前記Ｘ線発生器２から放射されたＸ線はＸ線減衰材料で構成された内壁６ｃで減衰するため、外部へ漏洩するＸ線量が極めて少なくなり、Ｘ線透過試験時の安全性が向上する。
さらに、Ｘ線透過試験を外部から遮蔽された空間で行うことができるので、試験時に外部環境の影響を受け難くなり、作業員の被曝を防止することも可能となる。
【００３８】
中央制御用のコンピュータ７の試験装置駆動制御装置１５及びゴンドラ駆動制御装置２０を自動で起動させるよう予めコンピュータ７で設定することにより、移動式ゴンドラ６をクレーン等で溶接構造物１に搬入した後、複数箇所のＸ線試験を全て自動で行うことができるため、Ｘ線試験時の人手や手間を大幅に軽減することが可能となる。
【産業上の利用可能性】
【００３９】
この発明に係るＸ線透過試験の自動化装置の構造や構成は、上記したものに限定せず、試験部の形状や仕様に応じて種々の構造や構成のものを採用することが可能であるとともに、適用対象も円筒形タンクに限定せず、種々の構造物のＸ線透過試験に適用することが可能である。
【符号の説明】
【００４０】
１  溶接構造物
１ａ  （試験対象箇所の）溶接部
１ｂ  試験範囲
２  Ｘ線発生器
３  タンク
４  検出器
４ａ  フィルム
４ｂ  フラットパネル
５  試験装置駆動通信ケーブル
６  移動式ゴンドラ
６ａ  開口部
６ｂ  開閉ドア
６ｃ  内壁（Ｘ線減衰部材）
６ｄ  外壁
７  （中央制御用の）コンピュータ
７ａ  ディスプレイ
７ｂ  画像情報記憶装置
８  印刷機
８ａ  インクジェットプリンター
９  可動ノズル噴射ヘッド
１０  Ｘ線発生器駆動部
１１  底板
１２  側板
１２ａ  最下段側板
１２ｂ  ２段目側板
１３  印刷機駆動部
１４  検出器駆動部
１５  試験装置駆動制御装置
１６  距離センサー
１７  カメラ
１８  接続具
１９  外部電源
２０  ゴンドラ駆動制御装置
２１  ゴンドラ駆動通信ケーブル
２２  電源ケーブル
２３  駆動モーター
２４  駆動軸
２５  駆動台
２６  駆動車輪
２７  メインフレーム
２８  サブフレーム
２９  連結フレーム
３０  ワイヤ
３１  移動式ゴンドラ駆動部
Ｈ  水平移動
【図１】
0006797369.tif 000002
【図２】
0006797369.tif 000003
【図３】
0006797369.tif 000004
【図４】
0006797369.tif 000005
【図５】
0006797369.tif 000006
【図６】
0006797369.tif 000007
【図７】
0006797369.tif 000008